(57)【要約】【課題】給湯装置全体の小型化に伴い、貯湯缶体の容量自体も減少するので、蓄えられる湯水の放熱による温度低下の影響は深刻となり、貯湯缶体の湯水の保温性は重要な課題となる。【解決手段】発泡断熱材３００は、発泡断熱材（前方）３１０と、発泡断熱材（後方）３２０を組み合わされることにより形成され、さらに天井側を発泡断熱材（天側）３３０で覆っており、発泡断熱材（天側）３３０の裏面側には凹部により形成される空間形成部３３１と、貯湯缶体の上部にある出湯管２０２等の形状に沿って形成された配管保温部３３２とがあるので、発泡断熱材だけでなく空間層による断熱効果によって、特に貯湯缶体の上部からの放熱量を抑制することができる。【選択図】図１
2007278652.tif 000002
【特許請求の範囲】
【請求項１】
複数の配管が接続された貯湯缶体と、水を加熱する加熱装置と、前記貯湯缶体を周囲から覆うようにした発泡断熱材と、前記貯湯缶体及び前記発泡断熱材を収納する外装体を備える給湯装置であって、前記発泡断熱材の前記貯湯缶体上方に中空状の空間層を設けたことを特徴とする給湯装置。
【請求項２】
発泡断熱材は少なくとも前面側断熱材と後面側断熱材と天面断熱材とから構成され、中空状の空間層は、前記前面側断熱材と前記後面側断熱材と前記天面断熱材とを組み合わせて形成されることを特徴とする請求項１記載の給湯装置。
【請求項３】
天面断熱材には、中空状の空間層を形成するための凹状の空間形成部と、貯湯缶体上方から接続される配管形状に沿った形状の配管保温部とを備えた請求項２記載の給湯装置。
【請求項４】
前面側断熱材と後面側断熱材の最上部に同じ高さの縦柱を備えた請求項３記載の給湯装置。
【請求項５】
前面側断熱材と後面断熱材の裏面側に凸上の隆起部を半環状に設け、前記前面側断熱材に形成される隆起部と前記後面側断熱材に形成される隆起部との高さ位置が異なるようにしたことを特徴とする請求項４記載の給湯装置。
【発明の詳細な説明】
【技術分野】
【０００１】
本発明は、貯湯缶体の放熱量を軽減する断熱材を有する給湯装置に関するものである。
【背景技術】
【０００２】
従来、この種の給湯装置は、複数の成型断熱材で貯湯缶体の外郭を囲むことにより、貯湯缶体に蓄えられる湯水の保温を図っていた。そしてこの構成によれば、貯湯缶体に断熱材としてガラスウールを巻きつける場合と比較して、製造組立時の工数が大幅に削減され、作業性が向上していた。（例えば、特許文献１参照）。
【特許文献１】特開平０８−２４７５５４号公報
【発明の開示】
【発明が解決しようとする課題】
【０００３】
ところで、日本の狭小な住宅事情を考慮すると、今後は給湯装置全体の小型化が求められてくるが、それに伴って貯湯缶体の容量自体も減少するようになる。そして、貯湯缶体の容量が減少すると、貯湯缶体内に出湯すべき湯水が枯渇してしまうという湯切れ問題が生じやすくなるので、蓄えられる湯水の放熱による温度低下の影響は深刻となり、貯湯缶体の湯水の保温性は重要な課題となる。
【課題を解決するための手段】
【０００４】
本発明は上記要求に応えるために、給湯装置において、発泡断熱材の貯湯缶体上方に中空状の空間層を設けたことを特徴とするものであり、その空間層によれば発泡断熱材だけでなく空間層による断熱効果によって、特に貯湯缶体の上部からの放熱量を抑制することができる。
【発明の効果】
【０００５】
本発明によれば、発泡断熱材の貯湯缶体の上方に中空状の空間層を設けるので、特に貯湯缶体の上部からの放熱量を抑制することができる。
【発明を実施するための最良の形態】
【０００６】
第１の発明は、給湯装置において、複数の配管が接続された貯湯缶体と、水を加熱する加熱装置と、貯湯缶体を周囲から覆うようにした発泡断熱材と、貯湯缶体及び発泡断熱材を収納する外装体を備え、発泡断熱材の貯湯缶体上方に中空状の空間層を設けたものである。
【０００７】
これによれば、発泡断熱材だけでなく空間層による断熱効果によって、特に貯湯缶体の上部からの放熱量を抑制することができる。
【０００８】
第２の発明は、特に第１の発明において、発泡断熱材は少なくとも前面側断熱材と後面側断熱材と天面断熱材とから構成され、中空状の空間層は、前面側断熱材と後面側断熱材と天面断熱材とを組み合わせて形成されるものである。
【０００９】
これによれば、発泡断熱材を中空状に形成することなく各部品を組み合わせて中空状の空気層が形成されるので、発泡断熱材の成型加工工程が容易となる。
【００１０】
第３の発明は、特に第２の発明において、天面断熱材には、中空状の空間層を形成するための凹状の空間形成部と、貯湯缶体上方から接続される配管形状に沿った形状の配管保温部とを備えたものである。
【００１１】
貯湯缶体には複数の配管が接続されており、単に貯湯缶体上方にある空間形成部に配管用の貫通穴を設けると、その貫通穴から放熱が起こり、いくら空間形成部を設けても空間層から放熱が起こり、十分な断熱効果が得られない。そこで、天面断熱材には独立した空間形成部と配管保温部とを設けることにより、配管による空間層からの放熱を抑制でき、断熱効果を高めることができる。
【００１２】
第４の発明は、特に第３の発明において、前面側断熱材と後面側断熱材の最上部に同じ高さの縦柱を備えたものである。
【００１３】
前面側断熱材と後面側断熱材の最上部に同じ高さの縦柱を設けることにより、縦方向の製品剛性が向上し、製品設置時の電気工事などで人が天面に載っても崩れず、安全に作業できることや、製品を保管する時に縦積みを可能とし、少ないスペースでより多くの個数を保管することができる。
【００１４】
第５の発明は、特に第４の発明において、前面側断熱材と後面側断熱材の裏面側に凸上の隆起部を半環状に設け、前面側断熱材に形成される隆起部と後面側断熱材に形成される隆起部との高さ位置が異なるようにしたものである。
【００１５】
発泡断熱材と貯湯缶体との間に凸上の隆起部を設けることにより空間層が形成され保温効果が高まるだけでなく、隆起部によって貯湯缶体を安定して設置することができる。
【００１６】
以下、本発明の一実施例について、図面を参照して説明する。なお、本実施例によって本願発明が限定されるものではない。
【００１７】
（実施の形態）
以下、本発明の実施の形態について図面を用いて説明する。図１は、給湯装置の前板を外し、前面を示したものであり、給湯装置１００を構成する外装体２００の内部には、貯湯缶体（図示せず）を覆う発泡断熱材３００と、貯湯缶体内に水を供給する給水管２０１と、貯湯缶体内に蓄えられている湯水を出湯する出湯管２０２がある。また、外装体２００の内部前方には熱交換器２０３が備え付けられており、浴槽水や床暖房用温水として循環する湯水と貯湯缶体の水とが熱交換することに利用される。なお、図１ではヒートポンプサイクルを熱源とする構成が示されているが、電気ヒータでもって貯湯缶体内の低温水を加熱するような形態の給湯装置であってもよい。
【００１８】
次に、発泡断熱材３００について詳細を図２及び図３とともに説明する。発泡断熱材３００は、発泡断熱材（前方）３１０と、発泡断熱材（後方）３２０を組み合わされることにより形成され、さらに天井側を発泡断熱材（天側）３３０で覆っている。また、貯湯缶体の底部を発泡断熱材（底側）３４０で覆っている。
【００１９】
さらに、図３（ａ）に示すように、貯湯缶体と面する発泡断熱材（前方）３１０の内側には、水平方向に沿って半環状に隆起部３５０が形成されている。なお、図３では隆起部３５０は、発泡断熱材（前方）３１０と同様の材質で形成されているが、発泡断熱材（前方）３１０と異なる材質のものを付加してもよい。同様に、図３（ｂ）に示すように、貯湯缶体と面する発泡断熱材（後方）３２０の内側にも、水平方向に沿って半環状に隆起部３６０が形成されている。
【００２０】
ここで、隆起部３５０と隆起部３６０をそれぞれ異なる高さに形成することにより、隆起部３５０と隆起部３６０とが合わさって環状とならないようにしているが、これにより、高温の湯水を蓄える貯湯缶体を包囲する発泡断熱材（前方）３１０と発泡断熱材（後方
）３２０がわずかに熱膨張して変形したとしても、貯湯缶体を安定的に支えることができる。また、貯湯缶体と発泡断熱材（前方）３１０または発泡断熱材（後方）３２０との間にわずかな空間層が形成されるので、保温効果も向上する。
【００２１】
また、図３に示すように、発泡断熱材（前方）３１０と発泡断熱材（後方）の上端部には縦柱３１１と縦柱３２１を形成することにより、外装体２００の天面は保持されるので縦方向の剛性が向上する。さらに発泡断熱材（天側）３３０の高さより高く形成されているので、外装体２００の天面から荷重を加えても直接発泡断熱材（天側）３３０に荷重を掛からなくしている。
【００２２】
これによって、製品の工事作業時に人が、天面に載っても変形しにくくしていることや、製品を倉庫で保管する時に製品の上に積み重ねることが可能になり、省スペースでより多くの個数を保管できる。
【００２３】
また、図４に示すように、発泡断熱材（天側）３３０の裏面側には凹部により形成される空間形成部３３１と、貯湯缶体の上部にある出湯管２０２等の形状に沿って形成された配管保温部３３２とがある。湯水温度に応じて積層状に貯湯するタイプの給湯装置において、貯湯缶体の上部に高温湯水が蓄えられている機会は極めて多いが、単に断熱材を接触させるよりも、その貯湯缶体の上側に空間層を形成した方がさらに断熱効果が大きくなる。そこで、発泡断熱材（前方）３１０と発泡断熱材（後方）３２０と、発泡断熱材（天側）３３０の空間形成部３３１とに挟まれて空間層が形成されるので、断熱効果が向上する。
【００２４】
また、外装体２００の前方側にはメンテナンスなどの作業効率を考慮して配管が設置されているが、貯湯缶体の上部に接続する出湯管２０２等の配管は形状が複雑であり、配管を覆うようにして放熱量を抑制することが難しかった。そこで、配管保温部３３２は出湯管２０２等の配管形状に沿った形状で構成されているので、配管からの放熱量が抑制される。
【００２５】
以上のように、本実施の形態によれば、発泡断熱材（前方）３１０及び発泡断熱材（後方）３２０の内側に隆起部３５０、３６０を形成しているので、発泡断熱材（前方）３１０及び発泡断熱材（後方）３２０の薄さに対して十分な保温性が得られ、給湯装置全体を小型化しても放熱量が緩和され、湯切れの発生を抑制できる。さらに、隆起部３５０と隆起部３６０をそれぞれ異なる高さに形成することにより、隆起部３５０と隆起部３６０とが合わさって環状とならないように形成しているので、貯湯缶体を安定的に支えることができる。
【００２６】
また、発泡断熱材（前方）３１０と発泡断熱材（後方）の上端部には縦柱３１１と縦柱３２１を形成することにより、外装体２００の天面は保持されるので縦方向の剛性が向上する。さらに発泡断熱材（天側）３３０の高さより高く形成されているので、外装体２００の天面から荷重を加えても直接発泡断熱材（天側）３３０に荷重を掛からなくしている。
【００２７】
これによって、製品の工事作業時に人が、天面に載っても変形しにくくしていることや、製品を倉庫で保管する時に製品の上に積み重ねることが可能になり、省スペースでたくさん保管できる。
【００２８】
また、発泡断熱材（前方）３１０と発泡断熱材（後方）３２０と発泡断熱材（天側）３３０の空間形成部３３１とに挟まれて貯湯缶体の上方に空間層が形成されるので、断熱効果が向上する。
【産業上の利用可能性】
【００２９】
以上のように、本発明にかかる給湯装置は、断熱材の薄さと保温性が両立して達成でき、給湯装置全体の小型化を実現するものであって、ヒートポンプ給湯器に限らず電気給湯器等の貯湯式給湯器に対して適用できる。
【図面の簡単な説明】
【００３０】
【図１】本実施の形態の給湯装置の構成図
【図２】本実施の形態の発泡断熱材の斜視図
【図３】（ａ）本実施の形態の発泡断熱材（前方）の斜視図（ｂ）本実施の形態の発泡断熱材（後方）の斜視図
【図４】本実施の形態の発泡断熱材（天側）の斜視図
【符号の説明】
【００３１】
１００  給湯装置
２００  外装体
２０１  給水管
２０２  出湯管
２０３  熱交換器
３００  発泡断熱材
３０１  天板
３１０  発泡断熱材（前方）
３１１  縦柱
３２０  発泡断熱材（後方）
３２１  縦柱
３３０  発泡断熱材（天側）
３３１  空間形成部
３３２  配管保温部
３４０  発泡断熱材（底側）
３５０  隆起部
３６０  隆起部
【図１】
2007278652.tif 000003
【図２】
2007278652.tif 000004
【図３】
2007278652.tif 000005
【図４】
2007278652.tif 000006